(57)【特許請求の範囲】
【請求項１】
略Ｕ字形あるいは略円弧状をしていて、一端部の周面にねじが刻設された線状材料または棒状材料によって形成された本体部と、一端がこの本体部のねじ形成部と反対の端部にヒンジを介して回動自在に支持され、他端が本体部のねじ形成部側の端部に離接自在な線状材料または棒状材料によって形成された本体部の開閉部材と、この開閉部材の前記他端に回転自在に遊嵌されているとともに、本体部のねじ形成部側の端部と閉鎖部材の他端とが近接状態のとき、前記ねじが螺合可能なねじ穴を有し、ねじのねじ穴への螺合によって開閉部材を閉状態に固定する固定部材とを備えたリング状金具において、前記固定部材が、外周面にねじ穴と同心の凹溝を備え、開閉部材を構成する線状材料または棒状材料が少なくともその一部を前記凹溝内に臨ませるようにリング状に固定部材の周囲に巻回されることによって形成された開閉部材の係止リング部に回転自在かつ回転軸が揺動可能に遊嵌支持されていることを特徴とするリング状金具。
【発明の詳細な説明】
【０００１】
【発明の属する技術分野】
本発明は、たとえば、キーホルダーとして用いることができるリング状金具に関する。
【０００２】
【従来の技術】
従来から図６に示すようなリング状をしたキーホルダー１００が使用されている。
このキーホルダー１００は、線材で形成された半円弧状をした２つのキー係止部材１０１，１０２と、円柱状または角柱状部材からなる固定部材１０３とを備えている。
【０００３】
そして、２つのキー係止部材１０１，１０２は、その一方の端部同士がヒンジ１０４を介して回動自在に軸止され、回動によって両キー係止部材１０１，１０２の開放端同士が離接するようになっている。
また、図７に示すように、一方のキー係止部材１０１の開放端には、周面にねじ１０５が刻設されて、他方のキー係止部材１０２開放端部には、後述する固定部材１０３の係止溝１０６がその周面にリング状に穿設されている。
【０００４】
固定部材１０３は、他方のキー係止部材１０２の開放端に軸を中心に回転自在に支持されている。
【０００５】
すなわち、固定部材１０３は、図７に示すように、円柱部材または角柱状部材の一端面にねじ１０５が螺合するねじ穴１０７が穿設されていて、他端面にキー係止部材１０１，１０２を構成する線材と略同径かすこし大きめの線材挿入穴１０８が穿設されている。そして、この線材挿入穴１０８内に他方のキー係止部材１０２の先端部を挿入したのち、固定部材１０３の周面に放射状に穿設したピンイ嵌入孔１０９から係止ピン１１０の先端が係止溝１０６に沿ってスライド自在な状態で係止溝１０６内に入り込むように嵌入することによって他方のキー係止部材１０２の開放端に支持されている。
【０００６】
このキーホルダー１００は、以上のようになっており、固定部材１０３のねじ１０５への螺合を解除し、図６に示すように、キー３００を着脱自在な複数のキー取付金具２００をその端部に設けられた係止リングをねじ１０５側の端部からキー係止部材１０２に挿通してキー係止部材１０２に支持させたのち、固定部材１０３を再びねじ１０５に螺合し、キー係止部材１０１，１０２を閉鎖状態に固定しておく。そして、キー取付金具２００にキー３００を支持させることによってキー３００を保持できるようにしたり、直接キー係止部材１０２にキー３００を保持させるようにすることができる。
【０００７】
しかしながら、上記のような固定部材１０３の取付構造では、以下のような問題があった。
▲１▼  複数の係止ピン１１０をピン嵌入孔１０９に嵌入させなければならないので、製造工程が煩雑で製造コストがかかる。
▲２▼  細い線材からなる係止ピン１１０の先端のみで固定部材１０３の抜け方向にかかる荷重が支えられるようになっているので、強度的に問題があるとともに、係止ピン１１０が嵌入されるだけで固定部材１０３に固定されているので、使用していると係止ピン１１０がはずれてしまいやすい。
【０００８】
▲３▼  ねじ１０５の中心軸とねじ穴１０７中心軸とのなす角度が、締め込みに伴って変化するため、この中心軸間の角度の変化により固定部材１０３の締め込み時の締め込み硬さが変化する。場合によっては、ねじ１０５の半分までしか締め込めないこともある。
一方、上記▲３▼の問題点を解決すべく、線材挿入穴１０８の径を大きくするとともに、係止溝１０６の幅を広げて、固定部材１０３の角度変更の自由度が増すようにすると、固定部材１０３取付部分の強度がより弱くなるという問題が生じる。
【０００９】
【発明が解決しようとする課題】
本発明は、このような事情に鑑みて、強度的に優れ、製造が容易なキーホルダー等に使用できるリング状金具を提供することを目的としている。
【００１０】
【課題を解決するための手段】
このような目的を達成するために、本発明にかかるリング状金具は、略Ｕ字形あるいは略円弧状をしていて、一端部の周面にねじが刻設された線状材料または棒状材料によって形成された本体部と、一端がこの本体部のねじ形成部と反対の端部にヒンジを介して回動自在に支持され、他端が本体部のねじ形成部側の端部に離接自在な線状材料または棒状材料によって形成された本体部の開閉部材と、この開閉部材の前記他端に回転自在に遊嵌されているとともに、本体部のねじ形成部側の端部と閉鎖部材の他端とが近接状態のとき、前記ねじが螺合可能なねじ穴を有し、ねじのねじ穴への螺合によって開閉部材を閉状態に固定する固定部材とを備えたリング状金具において、前記固定部材が、外周面にねじ穴と同心の凹溝を備え、開閉部材を構成する線状材料または棒状材料が少なくともその一部を前記凹溝内に臨ませるようにリング状に固定部材の周囲に巻回されることによって形成された開閉部材の係止リング部に回転自在かつ回転軸が揺動可能に遊嵌支持されている構成とした。
【００１１】
本発明にかかるリング状部材の用途としては、特に限定されないが、たとえば、キーホルダーやシャックルのような工事用の係止金具等として使用することができる。
リング状部材の材質としては、特に限定されないが、たとえば、ステンレス鋼、クロムめっき鋼、エンジニアリングプラスチックなどが挙げられる。
【００１２】
【発明の実施の形態】
以下に、本発明の実施の形態を、図面を参照しつつ詳しく説明する。
図１〜図５は本発明にかかるリング状金具の１つの実施の形態であるキーホルダーをあらわしている。
【００１３】
図１および図２に示すように、このキーホルダー１は、本体部２と、開閉部材３と、固定部材４と、化粧チューブ５と、複数のキー取付金具６と、軸止部材７とを備えている。
本体部２は、線材を略Ｕ字形に成形するとともに、一端部の周面にねじ２１が刻設され、図３に示すように、他端部にＵ字の湾曲方向と平行に線材を偏平に押しつぶすことによって形成され後述する軸止部材７の軸止ピン７２が挿通される軸孔２３が穿設された軸止部２２を備えている。
【００１４】
開閉部材３は、図３に示すように、その一端部に線材の一端部を偏平に押しつぶすことによって形成され後述する軸止部材７の軸止ピン７２が挿通される軸孔３２が穿設された軸止部３１を有し、他端に図４に示すように、線材の他端を軸孔１の軸と直交する平面内でリング状に湾曲させて形成した後述する固定部材４の係止リング部（ループ）３３を備えている。
固定部材４は、図５に示すように、開閉部材３の係止リング部３３の内径より大きな外径をした円柱状部材の一端面から本体部２のねじ２１が螺合するねじ穴４１が穿設され、その外周面に開閉部材３を係止リング部３３が遊嵌されるリング状の凹溝４２がねじ穴４１と同心円状に設けられている。すなわち、係止リング部３３は、開閉部材３を構成する線材の端部を凹溝４２部分に巻回するようにリング状に湾曲させることによって形成され、固定部材４を回転自在かつその回転軸が揺動可能に支持している。
【００１５】
化粧チューブ５は、可撓性を有する樹脂や樹脂エラストマー等のゴム弾性体によって開閉部材３を構成する線材の外径より少し大きな内径に形成されていて、組み立て前に開閉部材３の軸止部３１側から開閉部材３の係止リング部３３および軸止部３１を除く部分を囲繞するように、開閉部材３に装着されるようになっている。
【００１６】
軸止部材７は、図３に軸止ピン７２を有するボルト状の第１部材７１と、軸止ピン７２が嵌合する嵌合孔７４を有する第２部材７３と、スプリングワッシャ７５とを備えている。
すわなち、軸止部材７は、第１部材７１の軸止ピン７２にスプリングワッシャ７５を装着した状態で、軸止ピン７２を軸本体部２の開閉部材３の軸孔３２および軸孔２３に順に挿入し、軸孔３２の先端から突出した軸止ピン７２の先端部に第２部材７３の嵌合孔７４を嵌合させたのち、軸止ピン７２の第２部材７３の嵌合孔７４から飛び出した部分を押しつぶして拡径することによって外れ止めされている。そして、このようにして取り付けられた軸止部材７によって、開閉部材３が、本体部２に対してその固定部材４側の端部を本体部２のねじ２１側の端部に離接可能となるように回動自在に支持されている。
【００１７】
また、軸止ピン７２の先端部は、第２部材７３の嵌合孔７４より外部に突出した部分が潰されて周り止めされている。
キー取付金具６は、一端に本体部２を構成する線材の外径より大きな係止リング６１を有し、釣り針状をしたキー係止部と、このキー係止部の開放端にスプリング付勢されてキー係止部に係止されたキー８の外れ止めをするストッパとを備えたキー取付部６２を備える公知のものであって、本体部２をねじ２１側から係止リング６１を挿通することよって本体部２に係止できるようになっている。
【００１８】
そして、キー８は、その把持部に設けられた孔をこのキー取付部６２に取り付けることによってキーホルダー１に保持されるようになっている。
【００１９】
このキーホルダー１は、上記のように、固定部材４が開閉部材３を構成する線材の一端部を凹溝４２の部分に巻回させて係止リング部３３を形成するだけの簡単な構成で開閉部材３に回転自在に支持するようになっているので、従来のようにピン嵌入孔を設けたり、係止ピンを圧入したりする作業を行う必要がなく、製造作業工程が簡易化される。
また、固定部材４が、その凹溝４２部分を係止リング部３３に遊嵌され、回転自在かつ揺動可能な構造になっているので、固定部材４の角度変更の自由度を大きくとれる。したがって、固定部材４がそのねじ穴４１のねじ２１へのねじ込みに伴って、常に、ねじ穴４１の中心軸とねじ２１の中心軸とが一致するように角度変化し、ねじの締め込み硬さを常に一定にすることができる。すなわち、スムーズにねじ２１をねじ穴４１の奥までスムーズにかつ容易にねじ込むことができ、常に、しっかりとした固定状態を得ることができる。
【００２０】
しかも、固定部材４の抜け方向にかかる荷重が開閉部材３を構成する太い線材を湾曲させることによって形成した係止リング部３３によって全周に渡って受けられるようになっているので、強度的にも優れている。
また、開閉部材３に化粧チューブ５が装着されているので、装飾性に優れているとともに、化粧チューブ６が可撓性あるいは弾性を有する材料で形成されているので、持ち運ぶ際に滑りにくく、また手触りがよい。
【００２１】
本発明は、上記の実施の形態に限定されない。たとえば、上記の実施の形態では、本発明のリング開閉構造がキーホルダーに用いられていたが、たとえは、シャックルのような工事用治具にも用いることができる。
また、上記の実施の形態では、キー８がキー取付金具６を介してキーホルダー１に保持されるようになっていたが、本体部２に直接キー８を保持させるようにしても構わない。
【００２２】
さらに、上記の実施の形態では、開閉部材３に化粧チューブ５が装着されていたが、開閉部材３や本体部２に塗装を施せば、化粧チューブ５はなくても構わない。
また、上記の実施の形態では、係止リング部３３が線材を固定部材４の凹溝４２内を臨んだ状態で巻き付けるようにして形成されていたが、巻き付けた後に端部が拡がらないように、溶接等で固定するようにしても構わない。
【００２３】
【発明の効果】
本発明にかかるリング状金具は、以上のように構成されているので、構造が簡易化されて製造工程も簡易化でき、生産性がよくなるとともに、製造コストも低減できる。しかも、強度的にも優れたものとすることができる。
【図面の簡単な説明】
【図１】本発明にかかるリング状部材の１つの実施の形態であるキーホルダーの一部切欠断面斜視図である。
【図２】図１のキーホルダーの開閉部材の開放状態の斜視図である。
【図３】図１のキーホルダーのヒンジ部の分解斜視図である。
【図４】図１のキーホルダーの固定部材部分の平面図である。
【図５】図４のＸ−Ｘ線断面図である。
【図６】従来のキーホルダーの正面図である。
【図７】図５のキーホルダーの固定部材の取付構造をあらわす断面図である。
【符号の説明】
１  キーホルダー（リング状金具）
２  本体部
２１  ねじ
３  開閉部材
３３  係止リング部
４  固定部材
４１  ねじ穴
４２  凹溝
【図１】
0003833059.tif 000002
【図２】
0003833059.tif 000003
【図３】
0003833059.tif 000004
【図４】
0003833059.tif 000005
【図５】
0003833059.tif 000006
【図６】
0003833059.tif 000007
【図７】
0003833059.tif 000008